(57)【特許請求の範囲】
【請求項１】
一方室と他方室とを隔成する環状に形成のバルブシート部材と、
このバルブシート部材に形成されて一方室と他方室とを連通する通路と、
上記バルブシート部材に積層されて上記通路の下流側端を開放可能に閉塞する背面バルブとを有してなるバルブ構造において、
上記背面バルブは、
ワッシャと上記バルブシート部材に挟持されて内周端が固定される、上記通路側からの圧力作用で撓み作動する環状リーフバルブと、
この環状リーフバルブと上記バルブシート部材との間にこのバルブシート部材に対して昇降可能に配設されて上記通路の下流側端を開放可能に閉塞する環状に形成の補強体とを有し、
上記補強体は、この補強体に積層される上記環状リーフバルブ越しの圧力作用で変形しない強度を有し、
上記バルブシート部材は、環状の内周側ボス部を備え、上記補強体は、上記内周側ボス部の外周に配置され、
上記ワッシャの外径は、上記補強体の内径以下に設定されることを特徴とするバルブ構造。
【請求項２】
一方室と他方室とを隔成する環状に形成のバルブシート部材と、
このバルブシート部材に形成されて一方室と他方室とを連通する通路と、
上記バルブシート部材に積層されて上記通路の下流側端を開放可能に閉塞する背面バルブとを有してなるバルブ構造において、
上記背面バルブは、
ワッシャと上記バルブシート部材に挟持されて内周端が固定される、上記通路側からの圧力作用で撓み作動する環状リーフバルブと、
この環状リーフバルブと上記バルブシート部材との間にこのバルブシート部材に対して昇降可能に配設されて上記通路の下流側端を開放可能に閉塞する環状に形成の補強体とを有し、
上記補強体は、この補強体に積層される上記環状リーフバルブ越しの圧力作用で変形しない強度を有し、
上記ワッシャの上記環状リーフバルブ側の外周側端面が、上記環状リーフバルブから離間する方向に向く湾曲面あるいは傾斜面とされることを特徴とするバルブ構造。
【請求項３】
上記補強体は、上記環状リーフバルブと同一の素材で形成され、
上記補強体の板厚は、上記環状リーフバルブの板厚よりも厚く形成されてなる請求項１または２に記載のバルブ構造。
【請求項４】
上記補強体は、上記環状リーフバルブよりも撓み剛性の大きい素材で形成され、
上記補強体の板厚は、上記環状リーフバルブの板厚よりも薄く形成されてなる請求項１または２に記載のバルブ構造。
【請求項５】
上記バルブシート部材は、上記通路に並列する内側通路を有すると共にこの内側通路の下流側端を開放可能に閉塞する減衰バルブを有し、
上記補強体は、上記内側通路の上流側端に対向する開口を有し、
上記環状リーフバルブは、上記補強体における上記開口に対向する連通孔を有してなる請求項１から４のいずれか一項に記載のバルブ構造。
【請求項６】
上記補強体は、外周側端部に上記通路の下流側端に対向する切欠きを有してなる請求項１から５のいずれか一項に記載のバルブ構造。
【発明の詳細な説明】
【技術分野】
【０００１】
この発明は、バルブ構造に関し、特に、車両に搭載される緩衝器におけるバルブ構造の改良に関する。
【背景技術】
【０００２】
車両に搭載される緩衝器におけるバルブ構造としては、従来から種々の提案があるが、その中で、たとえば、特許文献１には、環状に形成のバルブディスクからなるバルブシート部材に環状リーフバルブからなる背面バルブが積層されるバルブ構造が開示されている。
【０００３】
すなわち、このバルブ構造にあって、バルブシート部材は、上流側と下流側とを隔成すると共に、この隔成された上流側と下流側とを連通する通路たる外側通路およびこの外側通路に並列される内側通路を有してなる。
【０００４】
そして、背面バルブは、バルブシート部材の一端たる上端に積層され、内周側端部が固定部とされて、バルブシート部材の軸芯部周りとなる内周側ボス部に固定状態に定着される。
【０００５】
また、この背面バルブにあっては、外周側部が撓み部とされて、バルブシート部材の一端に形成の外周側シート部に着座し、この外周側シート部の内側に開口する外側通路の下流側端を開放可能に閉塞する。
【０００６】
さらに、この背面バルブにあっては、内周端寄りとなる内周側部に内側通路の上流側端に対向する連通孔を有する。そして、このバルブ構造にあっては、バルブシート部材における内側通路の下流側端を圧側減衰バルブで開放可能に閉塞してなる。
【０００７】
それゆえ、この特許文献１に開示のバルブ構造にあって、背面バルブは、たとえば、この背面バルブの下方側たる上流側が高圧側となり、この背面バルブの上方側たる下流側が低圧側となるときに、外側通路を介しての下方側からの作動油で代表される作動流体によって外周側部が持ち上げられるように撓んで、外周側シート部から離れる。
【０００８】
したがって、バルブシート部材に形成の外側通路が開放され、下方側からの作動流体がこの開放された外側通路を介して上流側に流入し得ることになり、背面バルブが吸込み弁として機能する。
【０００９】
そして、下方側が低圧側になり上方側が高圧側になる反転時には、背面バルブがバネ力で旧状に復し、外側通路の下流側端を閉塞する。これにより、高圧側からの作動流体が外側通路を介して低圧側には流出し得なくなり、背面バルブが逆止弁として機能する。
【先行技術文献】
【特許文献】
【００１０】
【特許文献１】特開２００６−２７５０６９号公報
【発明の概要】
【発明が解決しようとする課題】
【００１１】
上記した特許文献１に開示のバルブ構造にあっては、背面バルブが吸込み弁として機能すると共に、逆止弁として機能する点で、基本的に問題がある訳ではないが、利用の実際を勘案すると些かの不具合があると指摘される可能性がある。
【００１２】
すなわち、背面バルブが外側通路の下流側端を閉塞して逆止弁として機能するときには、この背面バルブに言わば上方側からの高圧が作用する。
【００１３】
そして、背面バルブに高圧が作用すると、背面バルブにおける外側通路の下流側端に対向する部位、すなわち、外周側部が言わば凹むように撓むことが懸念される。
【００１４】
そして、背面バルブにおける外周側部が凹むように撓むことが繰り返される場合には、背面バルブにおける耐久性が低下される。また、バルブ構造が圧側減衰バルブを有する場合には、背面バルブにあって、外周側部が凹むように撓みきるまで、圧側減衰バルブの作動を期待できない、つまり、圧側減衰バルブにおける応答性が低下される。
【００１５】
そこで、背面バルブの外周側部が高圧作用によって凹むように撓むことを阻止するためには、背面バルブにおける板厚を厚くするのが良いが、この場合には、背面バルブの外周側部における撓み性が低下される。
【００１６】
そして、背面バルブにおける撓み性が低下される場合には、背面バルブにおける吸込み性が悪くなり、このバルブ構造を具現化する緩衝器が搭載される車両にあっては、乗り心地が悪化される不具合に繋がる。
【００１７】
この発明は、上記した事情を鑑みて創案されたものであって、背面バルブにおける吸込み性を悪くせずして背面バルブにおける高圧による凹むようになる撓みの発生阻止を可能にするバルブ構造を提供することを目的とする。
【課題を解決するための手段】
【００１８】
上記した目的を達成するために、この発明によるバルブ構造の構成を、一方室と他方室とを隔成する環状に形成のバルブシート部材と、このバルブシート部材に形成されて一方室と他方室とを連通する通路と、上記バルブシート部材に積層されて上記通路の下流側端を開放可能に閉塞する背面バルブとを有してなるバルブ構造において、上記背面バルブは、ワッシャと上記バルブシート部材に挟持されて内周端が固定される、上記通路側からの圧力作用で撓み作動する環状リーフバルブと、この環状リーフバルブと上記バルブシート部材との間にこのバルブシート部材に対して昇降可能に配設されて上記通路の下流側端を開放可能に閉塞する環状に形成の補強体とを有し、上記補強体は、この補強体に積層される上記環状リーフバルブ越しの圧力作用で変形しない強度を有し、上記バルブシート部材は、環状の内周側ボス部を備え、上記補強体は、上記内周側ボス部の外周に配置され、上記ワッシャの外径は、上記補強体の内径以下に設定されてなるとする。
【００１９】
それゆえ、この発明によるバルブ構造にあっては、バルブシート部材の、たとえば、下方側たる他方室が高圧側になるのに対して、上方側たる一方室が低圧側になるとき、作動油で代表される作動流体が通路を介して補強体を持ち上げるようにする。
【００２０】
このとき、環状リーフバルブが外周側部を撓ませて、補強体の上昇を許容する。したがって、補強体が閉塞していた通路が開放され、下方側からの作動流体が開放された通路を介して上方側に流入し、背面バルブが吸込み弁として機能する。
【００２１】
それに対して、上方側たる一方室が高圧側になるのに対して、下方側たる他方室が低圧側になるとき、環状リーフバルブが旧状に復し、バネ作用で補強体を下降させて、バルブシート部材に着座させる。
【００２２】
これによって、通路が閉塞され、上方側からの作動流体が通路を介して下方側に流出し得なくなり、逆止弁機能が発揮される。
【００２３】
このとき、補強体が環状リーフバルブとバルブシート部材との間に位置し、しかも、積層される環状リーフバルブ越しの圧力作用で変形しない強度を有してなるから、自身はもちろんのこと、環状リーフバルブが高圧作用で凹むように撓むことを阻止する。
【発明の効果】
【００２４】
その結果、この発明のバルブ構造によれば、背面バルブにおける吸込み性を悪くせずして背面バルブにおける高圧による凹むようになる撓みの発生阻止を可能にする。
【図面の簡単な説明】
【００２５】
【図１】この発明の一実施形態による緩衝器を示し、（Ａ）は、緩衝器におけるボトム部分を示す部分半截縦断面図、（Ｂ）は、ベースバルブにおける背面バルブを構成する環状リーフバルブを示す半截平面図、（Ｃ）は、ベースバルブにおける背面バルブを構成する補強体を示す半截平面図である。
【図２】図１中の背面バルブ部分を拡大して示す部分縦断面図である。
【図３】他の実施形態による背面バルブ部分を図２と同様に拡大して示す部分縦断面図である。
【発明を実施するための形態】
【００２６】
以下、図示した実施形態に基づいて、この発明を説明するが、図示するところでは、この発明によるバルブ構造が筒型に形成される緩衝器におけるボトム部分に配設されるベースバルブに具現化されてなる。
【００２７】
緩衝器は、作動油で代表される作動流体によって減衰部、つまり、図示するボトム部分に配設されるベースバルブ１０（図１（Ａ）参照）と、図示しないピストン体に配設の減衰部とで所定の減衰作用をなす複筒型の流体圧緩衝器とされる。
【００２８】
そのため、この緩衝器は、図１（Ａ）に示すように、作動流体を収容するシリンダ体１と、このシリンダ体１の外にシリンダ体１と間隔を有して配設される外筒２と、外筒２の下端開口を閉塞するボトムキャップ３と、このボトムキャップ３に着座するベースバルブ１０とを有してなる。
【００２９】
シリンダ体１と外筒２との間はリザーバＲとされ、このリザーバＲは、ベースバルブ１０の図中での下方、つまり、ベースバルブ１０で隔成される他方側たる下部容室Ｒ１に連通する一方で、図示しないが、上方側部に作動流体の液面で画成される気室を有し、この気室は、液面の昇降に伴う膨縮の際にエアバネ力を発揮する。
【００３０】
シリンダ体１内には、図示しないが、この緩衝器における上端側部材とされて車両の車体側に連結されるロッド体の下端側部たる先端側部が挿通され、このロッド体の先端部には、同じく図示しないが、シリンダ体１内に摺動可能に収装されるピストン体が連結される。
【００３１】
そして、このピストン体は、同じく図示しないが、シリンダ体１内にロッド体を挿通させるロッド側室と、ロッド体を挿通させないピストン側室Ｒ２（図１（Ａ）参照）とを画成する。
【００３２】
そしてまた、このピストン体は、同じく図示しないが、上記のロッド側室とピストン側室Ｒ２との連通を許容する減衰部を有し、この減衰部は、作動流体が通過するときに、すなわち、ピストン体がシリンダ体１内を摺動するときに所定の減衰作用をなす。
【００３３】
ちなみに、上記のピストン体に設けられる減衰部については、図示しないが、ピストン体から分離されて、たとえば、緩衝器の外に設けられてシリンダ体１内のロッド側室とピストン側室Ｒ２とを連通する外部通路中に配設されるとしても良い。
【００３４】
減衰部が緩衝器の外に設けられる外部通路中に配設される場合には、この減衰部におけるチューニングが、また、手動操作による減衰作用の制御が可能になる点で有利となる。
【００３５】
シリンダ体１と外筒２の上端開口は、図示しないが、軸芯部に上記のロッド体を貫通させるロッドガイドおよびヘッドキャップで封止され、このロッドガイドあるいはヘッドキャップは、多くの場合に、シリンダ体１内からの作動流体がロッド体の外周に付着してシリンダ体１の外に漏出することを阻止するオイルシールと、シリンダ体１の外からのダストがロッド体の外周に付着してシリンダ体１内に侵入するのを阻止するダストシールとを有する。
【００３６】
そして、上記のロッドガイドは、同じく図示しないが、多くの場合に、上記のオイルシールで掻き落された作動流体を上記のリザーバＲに戻すための戻し通路を有してなる。
【００３７】
また、ボトムキャップ３の下端には、この緩衝器の車両における車軸側への連結を可能にする取付部材たるアイ３１が連結される。ちなみに、図示しないが、ロッド体の上端部は、取付部材たるアイを有する他、車両における車体側やマウントへの連結を可能にする螺条を有する。
【００３８】
ベースバルブ１０は、シリンダ体１の下端開口を閉塞するように配設され、このとき、上半側をシリンダ体１の下端部内に臨在させ、下半側の外周部をシリンダ体１の下端とボトムキャップ３との間に挟持させてなる。
【００３９】
このことから、ベースバルブ１０は、いわゆる前側が図中で上方側となる一方側、すなわち、シリンダ体１内のピストン側室Ｒ２に対向し、いわゆる後側が図中で下方側となる他方側、すなわち、上記したリザーバＲに連通する下部容室Ｒ１に対向する。
【００４０】
少し説明すると、このベースバルブ１０は、環状に形成のバルブシート部材たるバルブディスク１１を有し、このバルブディスク１１は、一方室たるシリンダ体１内のピストン側室Ｒ１と他方室たる下部容室Ｒ１とを隔成するように設けられる。
【００４１】
その一方で、このバルブディスク１１は、シリンダ体１内のピストン側室Ｒ２と下部容室Ｒ１との連通を許容する複数の通路、すなわち、外側通路１１ａと複数の内側通路１１ｂとを並列に有し、内周側端部、すなわち、後述する内周側ボス部１１ｇから内周側部、すなわち、後述するバルブシート部１１ｅにかけての下端に圧側減衰バルブ４を積層させ、ピストン側室Ｒ２に対向する上端面に背面バルブ５を積層させる。
【００４２】
内側通路１１ｂは、図中で下端となる下流側端が上記の圧側減衰バルブ４で開放可能に閉塞され、外側通路１１ａは、図中で上端となる下流側端が上記の背面バルブ５で開放可能に閉塞される。
【００４３】
外側通路１１ａおよび内側通路１１ｂの上流側端および下流側端は、それぞれ環状溝（符示せず）で繋がっており、この環状溝を形成させる環状の隆起部（符示せず）がバルブシート部とされる。
【００４４】
すなわち、バルブディスク１１の図中での上端にあって、環状の隆起部が外側バルブシート部１１ｃおよび内側バルブシート部１１ｄとされ、バルブディスク１１の図中での下端にあって、環状の隆起部がバルブシート部１１ｅとされる。
【００４５】
なお、バルブディスク１１の軸芯部側部の上下端部は、内周側ボス部１１ｆ，１１ｇとされ、この内周側ボス部１１ｆ，１１ｇも上記の環状溝を形成する。
【００４６】
バルブディスク１１は、外周側部の下端側部をボトムキャップ３の内底に下端を着座させる脚部１１ｈとし、この脚部１１ｈは、切欠き１１ｉを有し、この切欠き１１ｉは、リザーバＲと下部容室Ｒ１とを連通させる。
【００４７】
圧側減衰バルブ４は、複数枚の環状リーフバルブを積層してなり、内周側端部（符示せず）がバルブディスク１１の軸芯部を上下方向に貫通するセンターガイド１２の図中での下端部たるバルブストッパ部１２ａに担持される。
【００４８】
その一方で、この圧側減衰バルブ４の内周側端部は、バルブディスク１１の下端側の内周側ボス部１１ｇに係止され、この状態で、センターガイド１２の図中での上端部たる螺条部１２ｂに螺合される締付ナット１３のワッシャ１４を介しての締め付けで所定位置に内周端固定で外周端自由の態勢に定着される。
【００４９】
なお、この圧側減衰バルブ４の外周側部は、外周側撓み部（符示せず）とされ、いわゆる静止時にバルブシート部１１ｅに着座する。
【００５０】
そして、このバルブシート部１１ｅに外周側撓み部を着座させるいわゆる最内側のリーフバルブ（符示せず）は、外周側撓み部に図中で上方となる内側通路１１ａに対向するオリフィスたる切欠き４ａを有する。なお、この切欠き４ａについては、これがバルブシート部１１ｅに設けられる打刻溝からなるとしても良い。
【００５１】
それゆえ、この圧側減衰バルブ４にあっては、このベースバルブ１０の上方側、つまり、一方側たるシリンダ体１内のピストン側室Ｒ２の圧力が高まり、このピストン側室Ｒ２において作動流体が過剰となると、外周側部が撓んでバルブシート部１１ｅから離座し、内側通路１１ｂを開放し、ピストン側室Ｒ２からの余分な作動流体をリザーバＲへ排出させ、作動流体が圧側減衰バルブ４を通過するときに所定の減衰作用をなす。
【００５２】
なお、圧側減衰バルブ４は、図示するところにおいて、一部外径の異なる複数枚の環状リーフバルブを積層してなるが、この積層される環状リーフバルブの枚数については、具現化される減衰特性（ピストン速度に対する減衰力の関係）によって任意とされて良く、また、緩衝器に発生させる減衰特性によって複数枚とされても一枚のみでも差し支えなく、そして、緩衝器に発生させ減衰特性によって各環状リーフバルブの外径を同じにするように設定されても良い。
【００５３】
背面バルブ５は、図示するところにあって、環状リーフバルブ５１と環状に形成の補強体５２とを有し、補強体５２が積層される環状リーフバルブ５１越しの圧力作用で変形しない強度を有してなる。
【００５４】
順次説明すると、この背面バルブ５にあって、環状リーフバルブ５１は、内周端固定に設けられてバルブディスク１１における外側通路１１ａ側からの圧力作用で撓み作動するように設定される。
【００５５】
すなわち、この背面バルブ５にあって、環状リーフバルブ５１は、下方の補強体５２に積層される状態で内周側端部（符示せず）が固定部とされ、この固定部がバルブディスク１１における内周側ボス部１１ｆとこの内周側ボス部１１ｆに上方から対向するセンターガイド１２の螺条部１２ｂに螺装の締付ナット１３との間にワッシャ１４を介して固定的に挟持される。
【００５６】
そして、この環状リーフバルブ５１は、内周側部（符示せず）に補強体５２における開口５２ｂに対向する連通孔５１ａを有し、また、補強体５２の外周側部（符示せず）に積層される外周側端部（符示せず）を有する。
【００５７】
そしてまた、この環状リーフバルブ５１にあっては、外周側端部が撓み部とされ、この外周側端部が下方の補強体５２を介しての圧力作用で撓むとき、この補強体５２の上昇を許容する。
【００５８】
なお、上記の連通孔５１ａについては、図示するところでは、図１（Ｂ）に示すように、周方向に間隔を有して位置決めされる複数の丸孔からなる。ちなみに、この連通孔５１ａに対向する後述の補強体５２に形成の開口５２ｂは、図１（Ｃ）に示すように、径方向に位置決めされる複数の連結部５２ｃで隔成される円弧状に形成される。
【００５９】
また、上記の連通孔５１ａは、丸孔に限られず、矩形状の孔であっても良く、多角形状の孔であっても良い。
【００６０】
そこで、図示しないが、補強体５２に形成される開口５２ｂを周方向に間隔を有して位置決めされる複数の丸孔からなるとする一方で、この環状リーフバルブ５１に形成される連通孔５１ａを複数の連結部で隔成される円弧状に形成する場合には、この環状リーフバルブ５１における撓み性を向上させることが可能になる点で有利となる。
【００６１】
一方、補強体５２は、環状リーフバルブ５１とバルブディスク１１との間にあって、内周端が固定されずしてバルブディスク１１に離着座可能に積層、すなわち、バルブディスク１１に対して昇降可能に配設され、バルブディスク１１への着座時に外側通路１１ａの図中で上端となる下流側端を開放可能に閉塞する。
【００６２】
そして、この補強体５２は、環状リーフバルブ５１が積層されている状態のときに、この環状リーフバルブ５１越しにシリンダ体１内のピストン側室Ｒ２から圧力作用があるとしても、この圧力作用で、たとえば、凹むように撓み変形しない強度を有してなる。
【００６３】
この強度を有するためには、環状リーフバルブ５１における板厚が、たとえば、０．２５４ｍｍとされるとき、この補強体５２における板厚を、たとえば、０．３０５ｍｍにするとしても良い。
【００６４】
また、補強体５２が上記の強度を有するのについて、上記した板厚によるとするのではなく、環状リーフバルブ５１と構成素材を異ならせても良い。
【００６５】
つまり、補強体５２は、環状リーフバルブ５１よりも撓み剛性の大きい素材にて形成されるとしても良い。
【００６６】
この場合には、補強体５２の板厚を環状リーフバルブ５１の板厚よりも厚く形成する必要がなくなる。
【００６７】
そのため、補強体５２の板厚を環状リーフバルブ５１の板厚と同一の板厚にしたり、補強体５２の板厚を環状リーフバルブ５１の板厚よりも薄く形成したりすることができる。
【００６８】
すなわち、補強体５２および環状リーフバルブ５１の板厚の設定における自由度をより大きくすることができる。
【００６９】
さらに、補強体５２は、環状リーフバルブ５１よりも撓み剛性の小さい素材で形成されると共に、補強体５２の板厚は、環状リーフバルブ５１の板厚よりも厚く形成されても良い。
【００７０】
そして、この補強体５２は、外周側端部をバルブディスク１１における外側バルブシート部１１ｃに着座させ、この外周側端部には外側通路１１ａの下流側端に対向するオリフィスたる切欠き５２ａを有する。
【００７１】
また、この補強体５２にあっては、内周側部をバルブディスク１１における内周側バルブシート部１１ｄに着座させると共に、この内周側部にバルブディスク１１における内側通路１１ｂの図中で上端となる上流側端に対向する開口５２ｂを有する。そして、この開口５２ｂは、前記したように、環状リーフバルブ５１における連通孔５１ａに対向する。
【００７２】
ちなみに、この補強体５２における外周側端部に形成される上記の切欠き５２ａにあっては、図示するところでは、補強体５２における板厚を貫通するように切欠き形成される。
【００７３】
しかし、この切欠き５２ａがオリフィスとして利用されることを鑑みると、上記したところに代えて、図示しないが、補強体５２における板厚を削るようにして形成される切欠き溝からなるとしても良い。
【００７４】
そして、同じく図示しないが、上記のオリフィスが補強体５２に形成されるのに代えて、バルブディスク１１における外側バルブシート部１１ｃに形成される打刻溝からなるとしても良い。
【００７５】
ところで、補強体５２における内周側端部は、この補強体５２が内周側固定とされないので、バルブディスク１１の軸芯部側部となる内周側ボス部１１ｆに着座しない。
【００７６】
そして、補強体５２における内周端は、バルブディスク１１における内周側ボス部１１ｆの外周に近隣して、内周側ボス部１１ｆに対して昇降可能とされる。
【００７７】
このことからすると、図２に示すように、ワッシャ１４の外径Ｄ１は、補強体５２の内径Ｄ２より同一以下に、好ましくは、小さく設定されるのが良い。
【００７８】
つまり、補強体５２における内周端がワッシャ１４の外周端より小径になる場合には、ワッシャ１４を介して締付ナット１３の締付力が補強体５２の内周側端部に作用する可能性がある。
【００７９】
そして、締付ナット１３の締付力が補強体５２の内周側端部に作用する場合には、この補強体５２におけるリフトアップ作動が阻害される。
【００８０】
このことからすると、締付ナット１３の締付力を補強体５２の内周側端部に絶対的に作用させないためには、ワッシャ１４の外径Ｄ１が補強体５２の内径Ｄ２より小さくなるのが良い。
【００８１】
以上のように形成された背面バルブ５を有するバルブ構造にあっては、以下のように作動する。
【００８２】
先ず、バルブディスク１１の、たとえば、上流側たる上方側が下流側たる下方側に比較して高圧側になるとき、背面バルブ５は、バルブディスク１１に着座し、バルブディスク１１における外側通路１１ａの下流側端を閉塞する。このとき、背面バルブ５にあって、環状リーフバルブ５１にシリンダ体１内のピストン側室Ｒ２からの高圧が作用する。
【００８３】
環状リーフバルブ５１は、バルブディスク１１に着座する補強体５２で下方から支えられ、補強体５２は、積層される環状リーフバルブ５１越しの圧力作用で変形しない強度を有してなるから、補強体５２にあって、外側通路１１ａの下流側端を閉塞する外周側部が凹むように撓むことがなく、したがって、この補強体５２に積層される環状リーフバルブ５１にあって、相応する部位が凹むように撓むことがない。
【００８４】
このことから、背面バルブ５にあっては、逆止弁として機能するのはもちろんのこと、上流側たるピストン側室Ｒ２から繰り返し高圧作用を受けることがあっても、いたずらに変形することがなく、変形に起因する耐久性の低下を危惧しなくて済む。
【００８５】
上記に対して、バルブシート部材１１の下方側が上方側に比較して高圧側になるとき、下部容室Ｒ１側からの作動流体がバルブディスク１１における外側通路１１ａを介して補強体５２を持ち上げるようにする。
【００８６】
このとき、環状リーフバルブ５１が外周側端部を撓ませて、補強体５２の上昇を許容するから、補強体５２が閉塞していた外側通路１１ａが開放され、下方側からの作動流体が上方側に流入する。
【００８７】
ちなみに、いわゆるピストン速度が、たとえば、０．６ｍ／ｓｅｃに至らない微低速領域にあるときには、高圧側からの作動流体が補強体５２における切欠き５２ａを介して低圧側に流入する。
【００８８】
そして、ピストン速度が微低速領域を超えて０．６ｍ／ｓｅｃ以上になると、高圧側からの作動流体が補強体５２を持ち上げるようになり、このとき、環状リーフバルブ５１における外周側撓端部が撓んで補強体５２におけるリフト作動を許容する。
【００８９】
このことから、この背面バルブ５にあっては、下方側からの作動流体の上方側への言わば円滑な流入を許容することになり、吸込み弁として機能する。
【００９０】
以上のように、この発明のバルブ構造にあっては、背面バルブ５を構成する補強体５２が環状リーフバルブ５１とバルブシート部材１１との間に配設されると共に、積層される環状リーフバルブ５１越しの圧力作用で変形しない強度を有してなる。
【００９１】
その結果、背面バルブ５にあっては、ピストン側室Ｒ２からの高圧が作用しても、この高圧作用によっていたずらに変形しなくなる。
【００９２】
このことから、この発明のバルブ構造にあっては、背面バルブ５における耐久性の保障が可能になるが、その一方で、図示するように、このバルブ構造が圧側減衰バルブ４を有してなる場合には、この圧側減衰バルブ４における応答性の低下を防止できる。
【００９３】
つまり、前述したが、シリンダ体１内のピストン側室Ｒ２からの高圧作用で、背面バルブの変形が危惧される場合には、この背面バルブにおける変形が停止するまでの間、圧側減衰バルブ４が作動し得ないことになる。
【００９４】
しかし、この発明のバルブ構造のように、背面バルブ５にあって、シリンダ体１内のピストン側室Ｒ２からの高圧作用で変形することが阻止される場合には、その分、圧側減衰バルブ４における応答性が低下されなくなり、圧側減衰バルブ４に所定の作動を期待できることになる。
【００９５】
のみならず、この発明のバルブ構造にあっては、背面バルブ５におけるいわゆるチューニング性が良くなる。
【００９６】
つまり、前記した特許文献１に開示の背面バルブにあっては、吸込み弁としての作動保障と、逆止弁としての機能保障とが一枚の環状リーフバルブにおける板厚のみによって左右されることになり、両者の最適な調整が容易でない。
【００９７】
それに対して、この発明のバルブ構造にあっては、背面バルブ５が環状リーフバルブ５１と補強体５２とからなるから、逆止弁としての機能保障はともかくとして、吸込み弁としての作動保障のために、環状リーフバルブ５１における撓み性を良くすように任意に変更することが可能になる利点がある。
【００９８】
図３は、他の実施形態を示すが、この実施形態が意図するところは、背面バルブ５を構成する補強体５２におけるリフトアップ性を向上させることである。
【００９９】
すなわち、図３に示すところにあって、ワッシャ１４は、外周側端部（符示せず）の下端面を上方に上向く湾曲面あるいは傾斜面にする。
【０１００】
これによって、環状リーフバルブ５２における外周側端部の撓み時にその撓み量を大きくでき、その分、補強体５２におけるリフトアップ量を大きくできる。
【０１０１】
そして、この図３に示すところにあっても、前記したように、ワッシャ１４の外径Ｄ１が補強体５２の内径Ｄ２と同一以下になるのが良い。
【０１０２】
一方、環状リーフバルブ５２における外周側端部の撓み量を大きくする観点からすれば、図中に一点鎖線図で示すように、ワッシャ１４の外径を、たとえば、締付ナット１３の外径と同じにした上で、ワッシャ１４の外周側端部の下端面を上方に上向く湾曲面あるいは傾斜面にするとしても良い。
【０１０３】
前記したところでは、この発明によるバルブ構造が緩衝器におけるボトム部分に配設のベースバルブ１０に具現化されるとしたが、この発明が意図するところからすると、この発明によるバルブ構造が緩衝器におけるピストン体に配設の、あるいは、緩衝器の外の外部通路に配設の減衰部に具現化されるとしても良い。
【０１０４】
そして、前記したところでは、この発明によるバルブ構造が背面バルブ５の他に圧側減衰バルブ４を有してなるが、背面バルブ５における凹むようになる撓みの発生を阻止するとの観点からすれば、バルブ構造が背面バルブ５のみを有して、圧側減衰バルブ４、すなわち、減衰バルブを有しない構造に具現化されても良い。
【０１０５】
つまり、ユニフロー型に形成される緩衝器にあっては、ボトム部分に配設のベースバルブにあって、また、シリンダ体内のピストン体にあって、逆止弁として機能する背面バルブのみを有すれば良いとされるので、この場合の具現化に向く構造とされても良い。
【０１０６】
さらに、前記したところにあっては、補強体５２が環状リーフバルブではない、つまり、環状リーフバルブとは別物で形成されるとして説明したが、要は、補強体５２が積層される環状リーフバルブ５１越しの圧力作用で変形しない強度を有してなるとすれば良いから、この観点からすれば、補強体５２が環状リーフバルブ５１より板厚を大きくした環状リーフバルブからなるとしても良い。
【符号の説明】
【０１０７】
１  シリンダ体
２  外筒
３  ボトムキャップ
４  圧側減衰バルブ
４ａ，１１ｉ，５２ａ  切欠き
５  背面バルブ
１０  ベースバルブ
１１  バルブディスク
１１ａ  外側通路
１１ｂ  内側通路
１１ｃ  外側バルブシート部
１１ｄ  内側バルブシート部
１１ｅ  バルブシート部
１１ｆ，１１ｇ  内周側ボス部
１１ｈ  脚部
１２  センターガイド
１２ａ  バルブストッパ部
１２ｂ  螺条部
１３  締付ナット
１４  ワッシャ
３１  アイ
５１  環状リーフバルブ
５１ａ  連通孔
５２  補強体
５２ｂ  開口
５２ｃ  連結部
Ｄ１  ワッシャの外径
Ｄ２  補強体の内径
Ｒ  リザーバ
Ｒ１  下部容室
Ｒ２  ピストン側室
【図１】
0005702630.tif 000002
【図２】
0005702630.tif 000003
【図３】
0005702630.tif 000004